(57)【要約】【課題】  洗浄剤収容容器を有する清浄器具を提供する。【解決手段】  ブラシのような清浄器具は、下側から垂下する複数の剛毛（１０）を有する主ボディ（４）と、流体収容容器（６）とを有している。このボディの下側領域には、収容容器（６）と連通していて、弁により閉じられる開口部が設けられており、押込み可能な弁駆動ボタンが、ボディに位置決めされていて、その移動軸線が横方向と約１０°未満の角度をなすようになっており、圧力応答により或いは作動部材により弁の開放を制御する。【選択図】      図１
2005066337.tif 000002
【特許請求の範囲】
【請求項１】
下側に清浄手段を有するボディと、流体収容容器とを具備し、前記ボディの下側領域には、前記収容容器と連通していて、弁手段により閉じられる開口部が設けられており、移動軸線が横方向と約１０°未満の角度をなすように、押込み可能な弁駆動ボタンが、ボディに位配置されている、清浄器具。
【請求項２】
前記弁駆動ボタンは、このボタンのほぼ横方向の押込みにより前記弁手段の開口を制御するように、ボディの側部領域に配置されている、請求項１に記載の清浄器具。
【請求項３】
前記駆動ボタンの内部は、前記弁手段と流体連通しており、また、前記弁手段は、主弁座の上に位置する弁体を備えていて、前記駆動ボタンの押込み時の上昇圧力により弁体を弁座から移動させるようになっている、請求項２に記載の清浄器具。
【請求項４】
前記弁体は、駆動ボタンと流体連通している部分と、流体収容容器と流体連通している反対側部分とを備えており、駆動ボタンの押込み時に弁体の前後に圧力差が存在する、請求項３に記載の清浄器具。
【請求項５】
前記弁体は、前記弁座に着座する下側部分と、前記弁座から間隔を隔てられた比較的拡大された横寸法の部分とを有しており、この部分の下面が、駆動ボタンと流体連通しており、また上面が、収容容器と流体連通している、請求項４に記載の清浄器具。
【請求項６】
前記駆動ボタンは、弾性ダイアフラムよりなる、請求項３に記載の清浄器具。
【請求項７】
上側弁座が設けられており、この弁座に対して、前記弁体が上方移動することにより、これに圧接して流体密なシールを生じさせ、また、前記弁体が主弁座内にあるとき、前記弁体と前記上側弁座との間に小さい隙間が生じる、請求項５に記載の清浄器具。
【請求項８】
前記弁体は、流体の吐出後、駆動ボタンを解放による減少内圧に応答して開放するボール弁により閉じられる貫通開口部を備えている、請求項３に記載の清浄器具。
【請求項９】
前記弁体の一部が圧接する弾性要素を有する弁保持手段が設けられており、前記弾性要素は、弁手段の開放時に変形されて、弁戻し力を与える、請求項３に記載の清浄器具。
【請求項１０】
前記弁保持手段は、弁体が圧接する内方に向けられた弾性フィンガを有するリング状部材を有する、請求項９に記載の清浄器具。
【請求項１１】
前記駆動ボタンの内部は、前記ボディ内に規定され横方向に延びる通路を介して、弁と連通している、請求項７に記載の清浄器具。
【請求項１２】
前記ボディは、内部液溜めを規定しており、前記弁体は、この液溜め内に配置されており、主弁座は、前記液溜めの底部に配置されており、前記収容容器は、前記液溜めの上側領域と連通しており、前記横通路は、前記液溜めの下側領域と連通している、請求項１１に記載の清浄器具。
【請求項１３】
前記上側弁座は、前記液溜めの上方途中に配置されたリングの下側領域により規定されている、請求項１２に記載の清浄器具。
【請求項１４】
前記収容容器は、前記ボディに解放可能に連結された別体の囲い部内に規定されている、請求項１に記載の清浄器具。
【請求項１５】
前記弾性ダイアフラムは、前記ボディを取り囲むように張られた弾性材料のバンド状に形成されている、請求項４に記載の清浄器具。
【請求項１６】
前記収容容器と前記吐出開口部との間に延び、前記ボディ内に位置する通路が規定されており、また、前記弁手段は、前記通路を塞ぎ、ボタンの押込み時に変位可能である弁体を備えている、請求項１に記載の清浄器具。
【請求項１７】
前記弁体は、開放位置で前記吐出通路と整合される内端部の近くに開口部を備えたスライド状部材よりなり、前記部材の外端部はボタンにより作用される、請求項１６に記載の清浄器具。
【請求項１８】
戻しばねが、前記弁体を閉鎖位置へ押圧するように設けられている、請求項１６に記載の清浄器具。
【請求項１９】
前記ボタンは、弾性の押込み可能なダイアフラムを有し、前記スライド状部材の一端部が、前記ダイアフラムの内側面に隣接して配置されている、請求項１７に記載の清浄器具。
【請求項２０】
前記弾性ダイアフラムの内部は、収容容器の内部と流体連通しており、ダイアフラムの押込みにより収容容器の内圧を上昇させる、請求項１９に記載の清浄器具。
【請求項２１】
下側に清浄手段を有するボディと、流体収容容器とを具備し、前記ボディの下側領域には、前記収容容器と連通していて、弁手段により閉じられる開口部が設けられており、内部が弁手段と流体連通している押込み可能な駆動ボタンが設けられており、また、前記弁手段は、前記駆動ボタンの押込み時による上昇内圧に応答して開放するようになっている、清浄器具。
【請求項２２】
前記弁手段は、弁体と、前記開口部と連通する弁座とを備えており、前記弁体は、弁座に着座する下側部分を有しており、下面が前記駆動ボタンと流体連通しており、上面が前記収容容器と流体連通している、請求項２１に記載の清浄器具。
【請求項２３】
前記弁体が上方移動により圧接して流体密なシールを生じる上側弁座が設けられており、前記弁体が主弁座にあるとき、前記弁体と前記上側弁座との間に小さい隙間が設けられる、請求項２２に記載の清浄器具。
【請求項２４】
前記弁体は、流体の吐出後、駆動ボタンを開放により減少する内圧に応答して開放するボール弁により閉じられる貫通開口部を備えている、請求項２１に記載の清浄器具。
【請求項２５】
弁体の一部が圧接する弾性要素を有する弁保持手段が設けられており、前記弾性要素は、弁手段の開放時に変形されて弁戻し力を与える、請求項２１に記載の清浄器具。
【請求項２６】
前記弁保持手段は、弁体が圧接する内方に向けられた弾性フィンガを有するリング状部材を有する、請求項２５に記載の清浄器具。
【請求項２７】
前記作動のボタンの内部は、前記ボディ内に規定された横方向に延びる通路を介して、弁と連通している、請求項２１に記載の清浄器具。
【請求項２８】
前記駆動ボタンは、弾性ダイアフラムを有する、請求項２１に記載の清浄器具。
【請求項２９】
前記ボディは、内部液溜めを規定しており、前記弁体は、この液溜め内に配置されており、前記弁座は、前記液溜めの底部に配置されており、前記収容容器は、前記液溜めの上側領域と連通しており、前記横通路は、前記液溜めの下側領域と連通している、請求項２１に記載の清浄器具。
【請求項３０】
前記上側弁座は、前記液溜めの上方途中に配置されたリングの下側領域により規定されている、請求項２９に記載の清浄器具。
【請求項３１】
前記収容容器は、前記ボディに解放可能に連結された別体の囲い部内に規定されている、請求項２１に記載の清浄器具。
【請求項３２】
前記弾性ダイアフラムは、前記ボディを取り囲むように張られた弾性材料のバンド状に形成されている、請求項２８に記載の清浄器具。
【請求項３３】
複数の剛毛が下側に配置されたブラシである請求項２１に記載の清浄器具。
【請求項３４】
ほぼ円筒形の側壁部を有する流体収容容器と、この収容容器が位置決めされているドーム状形態の上側領域とを備えているボディを具備し、複数の剛毛が前記ボディの下側領域から垂下しているブラシであって、前記ボディの下側領域には、収容容器と連通していて、弁手段により閉じられる開口部が設けられており、側壁部には、押込み可能な弁駆動ボタンが横方向に押込み可能に配置されている、ブラシ。
【発明の詳細な説明】
【技術分野】
【０００１】
本発明は、清浄器具に関し、詳細には、しかし排他的ではなく、洗浄剤を吐出することができる洗浄剤収容容器を有する種類のブラシに関する。
【背景技術】
【０００２】
ポット、パン、卓上食器類のような品物を清浄するのに、様々な種類の家庭用ブラシ製品が利用可能である。近年、かなりの人気を受けている１つの特定の種類のブラシは、剛毛支持主ボディと、洗浄剤を収容するための上側収容容器とを有しており、弁構造体が、洗浄剤の吐出を許容するように設けられている。代表的には、これらのブラシは、手のひらに快適にぴったり合うように寸法決めされており、一般に「ポンプ手のひら状ブラシ」と称されている。１つのこのようなブラシが、特許文献１に開示されている。他の設計が、本出願人の特許文献２および特許文献３に開示されている。これらの設計は、使用者が清浄に適切な方法でブラシを握りながら、作動し難い。従って、より人間工学的な設計を有するこの一般種類のブラシの必要性がある。
【０００３】
従来の設計は、ブラシの頂部における駆動ボタンから下側吐出開口部まで延びている同様な種類の作動ロッドを有している。
【特許文献１】ヨーロッパ特許公報第ＥＰ−Ａ−０１９８３８９号
【特許文献２】米国特許第６２８７０３７号
【特許文献３】米国特許第６２２４２８３号
【発明の開示】
【発明が解決しようとする課題】
【０００４】
本発明は、より効率的または効果的な弁構成を提供する。
【課題を解決するための手段】
【０００５】
本発明の第１の態様によれば、下側に清浄手段を有するボディと、流体収容容器とを具備し、このボディの下側領域には、収容容器と連通していて、弁手段により閉じられる開口部が設けられており、移動軸線が横方向と約１０°未満の角度をなすように、押込み可能な弁駆動ボタンが、ボディに配置されている、清浄器具が提供される。
【０００６】
この構成によれば、この器具は、吐出ボタンを指または親指の自然位置に対応する位置に有利に配置した状態で握られる。最も好適な構成では、弁駆動ボタンは、ボタンのほぼ横方向の押込みにより前記弁手段の開放を制御するようにボディの側部領域に配置されている。
【０００７】
この器具は、代表的には、剛毛を備えたブラシであるが、下側に配置された或る他の研磨または清浄手段を同等に有してもよい。
【０００８】
好ましくは、駆動ボタンの内部は、前記弁手段と流体連通しており、この弁手段は、酒弁座の上に位置する弁体を備えており、前記駆動ボタンの押込み時の上昇圧力により弁体を弁座から移動させるようになっている。より詳細には、弁体は、駆動ボタンと流体連通している部分と、流体収容容器と流体連通している反対側部分とを有してもよく、それにより駆動ボタンの押込み時に弁体の前後に圧力差が存在する。
【０００９】
ボタンは、例えばエラストマーで形成された弾性ダイアフラムよりなる。このボタンは、ボディを取り囲むように張られた弾性材料のバンド状に形成されてもよい。
【００１０】
弁体は、前記弁座に着座する下側部分と、弁座から間隔を隔てられた相対的に拡大された横寸法の部分とを有してもよく、下面は、駆動ボタンと流体連通しており、上面は、収容容器と流体連通している。弁体が上方移動により圧接して流体密なシールを形成する上側弁座が設けられてもよく、弁体が主弁座にあるとき、弁体と上側弁座との間に小さい隙間が設けられる。
【００１１】
また、弁体は、流体の吐出後、駆動ボタンを解放すると、減少内圧に応答して開放するボール弁により閉じられている貫通開口部を有してもよい。弁体の一部が圧接する弾性要素を有する弁保持手段が設けられてもよく、この要素は、弁手段の開放時に変形され、それにより弁戻し力を与える。例えば、この要素は、弁体が圧接する弾性フィンガを有するリングの形態であってもよい。
【００１２】
駆動ボタンの内部は、ボディに規定された横方向に延びる通路を介して弁と連通してもよい。器具のボディは、内部液溜めを規定してもよく、この液溜め内に弁体が配置されており、弁座は液溜めの底部に配置されており、収容容器は、液溜めの上側領域と連通しており、横通路は、液溜めの下側領域と連通している。上側弁座は、液溜めの上方途中に配置されたリングの下側領域により規定されている。
【００１３】
別の態様では、ボディには、収容容器と吐出開口部との間で延びている通路が規定されており、弁手段は、前記通路を塞ぎ、ボタンの押込み時に変位可能である弁体を備えている。この弁体は、開放位置において吐出通路と整合される開口部を内端部の近くに備えたライド状部材を備えており、この部材の外端部は、ボタンにより作用される。戻しばねが、弁体を閉鎖位置へ押圧するように設けられてもよい。また、ボタンは、弾性の押込み可能なダイアフラムよりなってもよく、スライド状部材の端部が、このダイアフラムの内側面に隣接して配置されており、弾性ダイアフラムの内部は、収容容器の内部と流体連通しており、それにより弾性ダイアフラムの押込みにより収容容器の内圧を上昇させる。
【００１４】
更なる態様では、本発明は、下側に清浄手段を有するボディと、流体収容容器とを備えており、このボディの下側領域には、収容容器と連通していて、弁手段により閉じられる開口部が設けられている清浄器具であって、内部が弁手段と流体連通している押込み可能な駆動ボタンが設けられており、この弁手段が、駆動ボタンの押込み時に上昇内圧に応答して開放するようになっている、清浄器具にある。
【００１５】
ここで、弁手段は、弁座の上に位置する弁体を備えており、この弁体は、前記弁座と、この弁座から間隔を隔てられた相対的に拡大された横寸法の圧力受け部分とに着座する下側部分を有している。
【００１６】
更に他の形態では、本発明は、ほぼ円筒形の側壁部を有する流体収容容器と、この収容容器が位置決めされているドーム状形態の上側領域とを有するボディを備えており、複数の剛毛がボディの下側領域から垂下しているブラシであって、ボディの下側領域には、収容容器と連通していて、弁手段により閉じられる開口部が設けられており、側壁部には、押込み可能な弁駆動ボタンが横方向に押込み可能に位置決めされている、ブラシにある。
【発明を実施するための最良の形態】
【００１７】
図面を参照して本発明の実施の形態を例としてのみ以下に説明する。
【００１８】
図１は、主ボディ４を有する全体的に２で示されるブラシの形態の清浄器具を示している。主ボディ４は、図示のように一体に形成されてもよいが、より好ましくは別体の部品として形成されている主ハウジング（部品）５および洗浄剤収容容器６を備えている（図２）。本発明は、主としてブラシについて例示されるが、剛毛が研磨パッドまたはスポンジ状部材のような或る他の適切な研磨材または清浄媒体で置き換えられる他の器具に同等に適用可能である。
【００１９】
主ハウジング５は、下側ブロック（領域）８を有している、この下側ブロック領域８には、従来のように、その盲開口部から突出する多数の剛毛１０が設けられている。主ハウジング５には、主ボディ４の側壁部を構成する外壁部１２と、内壁部１４とを有する１対の起立した環状壁部(図３)が設けられている。内壁部１４は、以下に更に論述するように弁組立体（弁手段）が中に配置される中央液溜め１５を規定している。収容容器６は、この液溜め１５の中へ延びている軸方向開口部を持つ下側環状部分１６を備えた中空の上方ドーム状体の形態を有している。環状部分１６の外面が、内壁部１４の内面の雌ねじ部と協働して流体密の解放可能な連結を形成する雄ねじ部を有するようにしてもよい。これにより、再充填の目的で容器６を主ボディ４から取外せる。簡単な押し嵌めのような他の機構が同等に利用されることができる。
【００２０】
剛毛１０の間でブロック８の下面に開口する吐出通路１８が中央溜め１５から下方に延びている。この通路の上端部は、主弁座を構成する拡大直径の短部分（主弁座）２０を有している。中央溜め１５の基部内に弁体２２が着座している。この弁体は、ディスク状部分２３を有しており、このディスク状部分２３から、下側の幅狭い環状領域２４が垂下してとともに、上側の短い環状部分２６が起立している。下側の幅狭い環状領域２４は、拡大ディスク状部分２３が液溜め底部から間隔を隔てられた状態で主弁座２０に着座するドーム状下端部を有している。この拡大ディスク状部分２３は、以下に更に論述するように、圧力受け面を構成している。このディスク状部分の外縁部が、小さい予備規定された隙間により液溜めの側面から間隔を隔てられている。ドーム状下端部には、エアベント（開口部）２７が形成されている。金属ボール２９が、チェック弁のように下側環状領域６４内に着座してエアベント２７を閉じ、この金属ボール２９は、その直径より小さい開口部を形成する上側の内方に延びる隆起部３１により環状領域内に拘束されている。
【００２１】
更に、主ハウジング５の内壁部１４は、弁戻しリング３０が着座される段部２８を内部に規定している。この段部は、リング中心に向けて半径方向に延びている複数の弾性フィンガ３２を持つリング状形態を有している。例えば図３でわかるように、弁体の環状部分２６の上縁部は、フィンガ３２に当接している。弁体のディスク状部分２３の上面は、小さい隙間によりリング３０の下側縁部から間隔を隔てられている。
【００２２】
また、主ハウジング５は、弁体２２のディスク状部分２３より下方の位置における中央溜め１５の下側領域から外部まで延びている半径方向内部通路を規定している。外壁部１２の外面のまわりには、弾性材料、代表的にエラストマーのような材料のバンドまたはカラー３６が配置されている。このカラー３６は、上側および下側の内方に向けられたフランジ３８、４０を有している。カラー３６は、フランジ３８、４０が壁部１２の夫々の溝に着座して流体密なシールを形成して外壁部１２のまわりに張られている。通路３４に向い合っている領域において、カラー３６には、ダイアフラムボタン４６として役立つドーム状領域が形成されている。
【００２３】
ブラシ２の作動を以下に説明する。収容容器６を取外した状態で、吐出すべき流体、通常、洗浄剤のような清浄流体が収容容器６に充填される。次いで、容器６は、前述のように、ねじ嵌めにより主ハウジングに嵌め込まれる。図３は、弁が閉鎖位置にあるブラシ２を示している。より詳細には、弁体２２の環状部分２４の下端部は弁座２０に着座して流体が通路１８を通って出て行くのを防いでいる。ボール２９は、弁体の開口部２７を遮断している。この位置では、流体は、図３および図３Ａに矢印で示すように、リング３０とディスク状部分の縁部および液溜めの内壁部１４の対向内面との間の小さい隙間を通って弁体２２の上側を通って液溜めの底部に達することができる。
【００２４】
流体を吐出するには、図４に示すように、ボタン４６を横方向に押す。これにより、通路３４および液溜め１５内の圧力を高めて弁体２２の前後に圧力差を生じ、洗浄剤の上方の収容容器内の空気が圧縮されると、弁体２２を上方に押圧する。この点で、ディスク２３と液溜めとの間の隙間は重要である。この隙間は、清浄流体と液溜めの壁部との間に著しい摩擦効果が生じ、それによりいくらかでもあれば、流体はこの隙間を上方に通るように、配置されている。正確な隙間は、流体速度に依存しているが、一般の洗浄剤の場合、０．５ｍｍの領域にあってもよい。この圧力差は、圧力上昇を受けるディスク状部分２３の下側の大きい表面積により高められる。この上方移動は、主弁座２０を開放して、ボタン４６の更なる押込みにより、液溜めの底部における洗浄剤を通路１８からブロック８の基部および剛毛１０へ排出し、そこで洗浄剤は清浄すべき物体と接触する。少量の上方移動の後、ディスク状部分２３の上縁部がリング３０と係合してそれとともにシールを形成する。好ましくは、これがボタン４６の押込みの途中に起こり、それにより、通路３４内の内圧が外圧に等しくなるまで、連続した押込みにより、より多くの洗浄剤を液溜めから押出すようになっている。同時に、弁の環状部分２６の上縁部が上方に移動して弁保持リング３０のフィンガ３２に当たってフィンガを上方に変形し、１つの変形されたフィンガが、図４および図４Ａで見えている。内圧が洗浄剤の吐出後に均等化された状態で、弁体２２が、それ自身の重量およびフィンガ３２の戻り力の組合せ作用下で降下して主弁座２０に係合する。
【００２５】
洗浄剤の吐出後、ボタン４６は、解放されて、図５に示されるように、それ自身の弾性によりその元の形状に戻る。これにより、通路３４および弁体２２の下方の液溜めの下側領域内にて低圧領域を生じる。弁座２０が環状部分２４の端部によりシールされるので、金属ボール２９は、その前後の圧力差に因り下側開口部から押出され、それにより外部からの空気が弁体２２の中心を通って収容容器に入り、それにより圧力を均等化する。
【００２６】
側壁部１２に位置決めされたボタンの横方向押込みを必要とする前記の図示構成は、ボタン４６が、有利には、指または親指が自然に位置するところに正確に配置された状態で、ブラシを非常に普通の方法で保持し得るので、好ましい。しかしながら、通路３４の位置の適切な変更では、ボタンが、ブラシのボディ上のいくらか高いまたは低い位置に同等に配置されることができることはわかるであろう。ボタン４６の移動軸線が水平方向または横方向から上方または下方に約１０°までである任意の位置におけるボタン４６の位置決めが、前記の人間工学的利点を生じながら、可能である。
【００２７】
図６、図７および図８には、第２の実施の形態が示されている。構成要素の多くが前記のものと同じであり、ここでは、これらの構成要素を詳細に説明せず、同様な参照符号が同じ部分を示している。全体的に１０２として示されるブラシは、剛毛１０を支持する下側ブロック１０８を備えたハウジング１０５を持つ主ボディ１０４を有している。この主ボディ１０４には、上側流体容器６が、例えば、ねじ嵌めを介して接合されている。ここでは、主ボディ１０４は、ブロック１０８と別体の部品として示されているが、同等に、これら２つの部品を一体に形成することができる。軸方向流体吐出通路１８が、ブロック１０８および主ボディ１０４を通って延びている。
【００２８】
この実施の形態の弁構成は、むしろ異なっている。弁部材を制御するのに圧力応答を使用する代わりに、弁は、機械的に制御される。平らな細長いブレード状部材１２２が、主ハウジング１０５における半径方向に延びる開口部内で摺動するように配置されている。この部材１２２の内端領域は、通路１８の頂部と整合されると、流体を収容容器から去らせ、さもなければ通路１８をシールする細長い開口部１２３を有する弁体を構成している。部材１２２の外端領域は、アクチュエータを構成しており、この外端領域には、カラーの弾性ボタン４６のすぐ内側に位置する拡大頭部１２５が設けられている。主ハウジング１０５の対応するガイド溝に嵌り込む部材１２２の頂部から位置決めラグ１２７が起立している。頭部１２５と主ハウジング１０５上のばね座部との間に着座して図６の弁体を閉鎖位置へ付勢するのに役立つ螺旋戻しばね１２９が、部材１２２の上に位置している。部材１２２を主ボディから半径方向に移動しないようにする保持戻しクリップ１３１が部材１２２の内端部から起立している。
【００２９】
図６は、通路１８が弁体の端部により閉じられる閉鎖位置を示している。流体を吐出するには、ダイアフラムボタン４６を横方向に押す。ダイアフラムボタン４６が内方に変形されると、内圧を上昇させて収容容器内の洗浄剤の上方の空気を圧縮する。弁体の開口部１２３が通路１８と整合されると、或る量の洗浄剤を通路１８から流出させる。なお、使用者の指がボタン４６に保持されていれば、空気戻り通路が無いので、流体は、収容容器から簡単には排出しない。ボタン４６が解放され空気が通路１８を通って収容容器に戻って内圧を均等化することができるように、通路１８が弁体により部分的に塞がれるのは、一度のみである。
【００３０】
この点では、弁体の外端部に対する開口部１２３の正確な位置が重要であり、ボタンがその移動の終わりに近づくと、開口部１２３と通路１８との間に僅か程度の整合が存在することが必要であり、この位置は、洗浄剤を排出することなしに、空気が収容容器に入ることができる箇所である。
【００３１】
また、横方向に延びる部材１２２が示されているが、適切な変更例では、人間工学的輪転を妥協することなしに、この要素を水平線の上方または下方に約１０°で配置することができる。
【図面の簡単な説明】
【００３２】
【図１】本発明の第１の実施の形態によるブラシを示す図である。
【図２】図１のブラシを分解状態で示す図である。
【図３】弁が閉鎖位置にある図１の線Ｃ−Ｃに沿った横断面図である。
【図３Ａ】閉鎖弁位置における図３の弁を示す差込み図である。
【図４】流体を吐出するときのブラシの横断面図である。
【図４Ａ】開放しているときの図４の弁を示す差込み図である。
【図５】流体を吐出した直後の横断面図である。
【図５Ａ】図５の弁を示す差込み図である。
【図６】弁が閉鎖位置にある別の実施の形態の横断面図である。
【図７】弁が開放位置にある図６の実施の形態の横断面図である。
【図８】この別の実施の形態の分解図である。
【符号の説明】
【００３３】
２…清浄器具、４…主ボディ、５…主ハウジング、６…洗浄剤収容容器、１０…剛毛、１５…中央液溜め、２０…主弁座、２２…弁体、４６…ダイアフラムボタン。
【図１】
2005066337.tif 000003
【図２】
2005066337.tif 000004
【図３】
2005066337.tif 000005
【図３Ａ】
2005066337.tif 000006
【図４】
2005066337.tif 000007
【図４Ａ】
2005066337.tif 000008
【図５】
2005066337.tif 000009
【図５Ａ】
2005066337.tif 000010
【図６】
2005066337.tif 000011
【図７】
2005066337.tif 000012
【図８】
2005066337.tif 000013